(57)【特許請求の範囲】
【請求項１】
機器筐体にスロットを形成して、同スロットを通じて内部に組み込まれるコネクタに相手側コネクタを外部接続する電気機器において、前記スロットに連絡する取付溝を前記機器筐体に形成し、柔軟な材料で成形したコネクタカバーの取付部の裏面に前記取付溝よりも小さい幅の首部を一体成形し、同首部の先端には前記スロットの幅よりも僅かに小さい幅寸法でかつ取付溝の幅よりも大きい幅寸法の固定片を一体成形し、前記首部を前記取付溝にスライドさせて位置した後、後から内部に組み込まれる前記コネクタの側面で前記取付溝からの前記取付部の抜け出しを防止し、前記取付溝外面を覆う外面部を前記取付部に一体成形し、同外面部に対しては前記スロット外面側全体を覆うスロット覆いを易屈曲ヒンジを介して一体成形し、同スロット覆いの背面に成形されるカバー部で前記コネクタの開口が覆われることを特徴とするコネクタカバー構造。
【発明の詳細な説明】
【０００１】
【発明の属する技術分野】
本発明は電気機器筐体の防塵構造に関し、特に、外部接続される電気コネクタ部の防塵構造に関する。
【０００２】
【背景技術】
周知のように、例えば卓上電話機などの電気機器においては、機器筐体にスロットを形成しておき、必要に応じて、このスロット内部に組み込まれるコネクタに相手側コネクタを外部接続して用いる場合がある。
このような構造の場合、コネクタが用いられない場合にスロットを開放状態におくと、スロットからコネクタの内部へホコリなどの異物が侵入して接続不良などの原因になる。
【０００３】
したがって、従来では、ゴムなどの弾性体で成形したキャップを用意し、コネクタが使用されないとき、コネクタに対応されたスロットに同キャップを嵌めて、コネクタの内部にホコリなどの異物が侵入するのを防止しているけれども、このような別体キャップは、コネクタに相手側コネクタが接続されるとき、スロットから取り外されるため、紛失してしまうことが多かった。
【０００４】
このため、従来では、防塵用キャップに取付部を一体成形し、この取付部を機器筐体を構成する筐体ケースと同カバーとの間に挟持させるか、または、機器筐体に取付孔を形成して前記取付部を同取付孔に変形・支持させ、不使用によりキャップが紛失するのを防止している。
【０００５】
【発明が解決しようとする課題】
しかしながら、筐体ケースと同カバーとの間に防塵用キャップの取付部を挟持させる構造では、機器筐体の組立時に同取付部の処理が必要になり、組立工程が複雑になり、また、取付孔にキャップの取付部を支持させる構造では、キャップを強く引くと取付孔から取付部が外れてしまう問題があった。
【０００６】
本発明の目的は、以上に述べたような従来のコネクタカバー構造の問題に鑑み、組立工程が簡単で、不用意にコネクタカバーが外れることのないコネクタカバー構造を得るにある。
【０００７】
【課題を解決するための手段】
この目的を達成するため、本発明は、機器筐体にスロットを形成して、同スロットを通じて内部に組み込まれるコネクタに相手側コネクタを外部接続する電気機器において、前記スロットに連絡する取付溝を前記機器筐体に形成し、柔軟な材料で成形したコネクタカバーの取付部の裏面に前記取付溝よりも小さい幅の首部を一体成形し、同首部の先端には前記スロットの幅よりも僅かに小さい幅寸法でかつ取付溝の幅よりも大きい幅寸法の固定片を一体成形し、前記首部を前記取付溝にスライドさせて位置した後、後から内部に組み込まれる前記コネクタの側面で前記取付溝からの前記取付部の抜け出しを防止し、前記取付溝外面を覆う外面部を前記取付部に一体成形し、同外面部に対しては前記スロット外面側全体を覆うスロット覆いを易屈曲ヒンジを介して一体成形し、同スロット覆いの背面に成形されるカバー部で前記コネクタの開口が覆われることを特徴とするコネクタカバー構造を提案するものである。
【０００８】
よって、本発明によれば、コネクタカバーの取付部の裏面に前記取付溝よりも小さい幅の首部を、同首部の先端には前記スロットの幅よりも僅かに小さい幅寸法でかつ取付溝の幅よりも大きい幅寸法の固定片を一体成形したので、ビスなどの固定手段を用いずに、後から内部に組み込まれる前記コネクタの側面で前記取付溝からの前記取付部の抜け出しを防止できる。また、本発明では、前記取付溝外面を覆う外面部を前記取付部に、同外面部に対しては前記スロット外面側全体を覆うスロット覆いを易屈曲ヒンジを介して一体成形したので、不使用状態において、同スロット覆いの背面に成形されるカバー部で前記コネクタの開口を自動的に覆って電気機器の内部へのホコリなどの進入を防止できる。
【０００９】
【発明の実施の形態】
以下、図面について本発明のひとつの実施の形態を説明する。
電話機ケースＡに内蔵されるコネクタ１に対して図３に示す相手側コネクタ２を外部接続する構造に本発明を適用してある。つまり、図４に示すように、電話機ケースＡ中には表面にコネクタ１を搭載したプリント配線基板３が固定ねじ４で組み込まれ、同電話機ケースＡの表面を覆うケースカバーＢに形成するスロット５を通って外部の相手側コネクタ２の先端部が前記コネクタ１に接続される。
【００１０】
本実施例においては、前記スロット５の一側部にはスロット５に一端が連絡する取付溝６が形成され、スロット５が形成される前記ケースカバーＢの外表面にはスロット５及び取付溝６の全体を包囲する凹所７が形成され、これらのスロット５及び取付溝６の外表面側が同凹所７に嵌め込まれるゴムなどのコネクタカバー８で覆われる。
詳細を図５から図７に示すコネクタカバー８は、前記スロット５と取付溝６との連絡位置に対応した裏面の薄肉易屈曲ヒンジ９により取付部８Ａとこの取付部８Ａに連続されたカバー部８Ｂに区分され、同カバー部８Ｂは薄肉ヒンジである易屈曲ヒンジ９の弾性変形により、図１のように前記取付部８Ａに対して略直角に折り曲げることができる。
【００１１】
前記取付部８Ａの裏面には前記取付溝６の幅よりも僅かに小さな対応幅Ｌ1 の首部８ａが一体成形され、同首部８ａの先端には前記スロット５の幅よりも僅かに小さい幅寸法Ｌ2 の固定片８ｂが一体成形され、前記取付溝６の幅よりも大きな幅寸法Ｌ2 に作られる固定片８ｂの存在により、取付溝６からの取付部８Ａの抜け出しが防止される。
また、コネクタカバー８の取付部８Ａが取付溝６に沿って摺動された位置にあっては、図３に示すように、固定片８ｂは、電話機ケースＡ内に後から組み込まれるプリント配線基板３のコネクタ１の右側に位置するから、コネクタ１に対する固定片８ｂの衝合によりケースカバーＢからの取付部８Ａの不容易な外れが防止される。
【００１２】
他方、コネクタカバー８のカバー部８Ｂの裏面には前記スロット５に弾力的に嵌めることができるスロット覆い８ｃが一体成形され、同スロット覆い８ｃの弾力的な接触によりコネクタ１の開口部が覆われる。また、コネクタカバー８のカバー部８Ｂの先端エッジには小さな工具孔１０が形成され、この工具孔１０にペン先などの工具を作用させて、凹所７に嵌め込まれたコネクタカバー８のカバー部８Ｂを起こすことができる。
【００１３】
図示実施例によるコネクタカバー構造は、以上のような構造であるから、スロット５にコネクタカバー８を予め固定して用いればよい。即ち、ゴムなどで作ったコネクタカバー８の固定片８ｂをケースカバーＢのスロット５に一致させ、同スロット５に連絡した取付溝６に沿って首部８ａを摺動させ、コネクタカバー８の取付部８Ａで取付溝６が覆われた状態とすれば、ケースカバーＢの凹所７がコネクタカバー８で覆われた状態となる。
次に、固定ねじ４により電話機ケースＡ中にプリント配線基板３を固定すると、プリント配線基板３に搭載されたコネクタ１の側面により固定片８ｂが衝止されるから、取付溝６からの取付部８Ａの抜け出しが防止される。
【００１４】
ケースカバーＢに対するコネクタカバー８の取付け状態では、ケースカバーＢの表面に形成された凹所７中にコネクタカバー８が位置した状態となり、スロット５及び取付溝６の表面がコネクタカバー８で覆われるから、スロット５及び取付溝６を通って外部のホコリなどが電話機ケースＡの内部に侵入するのが防止される。
また、電話機ケースＡ中のコネクタ１に相手側コネクタ２を外部接続するには、工具孔１０にペン先などを当てがって、コネクタカバー８のカバー部８Ｂを凹所７から起こし、図１に示すように、易屈曲ヒンジ９からカバー部８Ｂを折れば、スロット５からコネクタ１が外部に露呈するから、相手側コネクタ２を同コネクタ１に接続できる。
【００１５】
コネクタ１の使用状態、つまりコネクタ１に対する相手側コネクタ２の接続状態では、図３に示すように、コネクタ１の存在により取付溝６からの取付部８Ａの抜け出しが防止されるため、ケースカバーＢを紛失することはなく、コネクタ１から相手側コネクタ２を外すだけで、簡単にコネクタカバー８を復旧できる。
【００１６】
なお、前記実施例の説明においては、電話機ケースＡに本発明を施した例について説明したけれども、本発明は、他の電気機器に適用することもできる。
【００１７】
【発明の効果】
以上の説明から明らかなように、本発明によれば、コネクタカバーの取付部をスロットに連続する取付溝に取り付けた後、電気機器筐体の内部にコネクタを組み込むだけでコネクタカバーの組み付けを終了することができ、コネクタカバーの不使用時にも電気機器筐体からケースカバーが外れることがないから、ケースカバーを紛失してしまうのを防止できる。
【図面の簡単な説明】
【図１】本発明によるコネクタカバー構造の分解斜視図である。
【図２】同コネクタカバー構造の正面図である。
【図３】図１の３−３線に沿う同コネクタカバー構造の断面図である。
【図４】図３の４−４線に沿う同コネクタカバー構造の断面図である。
【図５】コネクタカバーの平面図である。
【図６】同コネクタカバーの背面図である。
【図７】同コネクタカバーの右側面図である。
【符号の説明】
Ａ        電話機ケース
Ｂ        ケースカバー
１        コネクタ
２        相手側コネクタ
３        プリント配線基板
４        固定ねじ
５        スロット
６        取付溝
７        凹所
８        コネクタカバー
８Ａ      取付部
８Ｂ      カバー部
８ａ      首部
８ｂ      固定片
８ｃ      スロット覆い
９        易屈曲ヒンジ
１０      工具孔
【図１】
0003820914.tif 000002
【図２】
0003820914.tif 000003
【図３】
0003820914.tif 000004
【図４】
0003820914.tif 000005
【図５】
0003820914.tif 000006
【図６】
0003820914.tif 000007
【図７】
0003820914.tif 000008